(57)【要約】      （修正有）【課題】波長の異なる複数のレーザダイオードで発生する熱を装置を大型化せずに放熱する。【解決手段】第１波長のレーザ光を発生する第１レーザダイオードと第１レーザダイオードを内蔵する金属製の第１ホルダと、第２波長のレーザ光を発生する第２レーザダイオードと第２レーザダイオードを内蔵する金属製の第２ホルダと、第１光ディスクの信号記録層に第１レーザ光を集光させ第２光ディスクの信号記録層に第２レーザ光を集光させる対物レンズと、第１レーザ光と第２レーザ光を対物レンズに案内する光学素子と、第１及び第２ホルダが隣接するように第１及び第２ホルダ、対物レンズ、光学素子が収容される樹脂製のハウジングと、第１ホルダと第２ホルダとの間の第１間隙に充填され、第１レーザダイオードから発生する熱を第１ホルダから第２ホルダへ伝え、第２レーザダイオードから発生する熱を第２ホルダから第１ホルダへ伝える第１伝熱ゲルとを備える。【選択図】図５
2013058293.tif 000002
【特許請求の範囲】
【請求項１】
第１波長の第１レーザ光を発生する第１レーザダイオードと、
前記第１レーザダイオードを内蔵する金属製の第１ホルダと、
前記第１波長とは異なる第２波長の第２レーザ光を前記第１レーザ光とは相補的に発生する第２レーザダイオードと、
前記第２レーザダイオードを内蔵する金属製の第２ホルダと、
第１光ディスクの信号記録層に前記第１レーザ光を集光させるとともに、前記第１光ディスクの規格とは異なる規格の第２光ディスクの信号記録層に前記第２レーザ光を集光させる対物レンズと、
前記第１レーザ光と前記第２レーザ光を前記対物レンズに案内する光学素子と、
前記第１ホルダと前記第２ホルダが隣接するように、前記第１ホルダ、前記第２ホルダ、前記対物レンズ、前記光学素子が収容される樹脂製のハウジングと、
前記第１ホルダと前記第２ホルダとの間の第１間隙に充填され、前記第１レーザダイオードから発生する熱を前記第１ホルダから前記第２ホルダへ伝えるとともに、前記第２レーザダイオードから発生する熱を前記第２ホルダから前記第１ホルダへ伝える第１伝熱ゲルと、
を備えたことを特徴とする光ピックアップ装置。
【請求項２】
前記第１ホルダと前記第２ホルダの総体積は、前記第１レーザダイオードと前記第２レーザダイオードの夫々の発熱量に応じて定まる
ことを特徴とする請求項１に記載の光ピックアップ装置。
【請求項３】
前記第１ホルダ、前記第２ホルダ、前記対物レンズ、前記光学素子が露出する前記ハウジングの開口を塞いだ状態において、前記第１ホルダ及び前記第２ホルダの少なくとも一方との間に第２間隙を生じる金属製のカバーと、
前記第２間隙に充填され、前記第１ホルダ及び前記第２ホルダの少なくとも一方から発生する熱を前記カバーに伝える第２伝熱ゲルと、
を備えたことを特徴とする請求項１に記載の光ピックアップ装置。
【請求項４】
前記カバーは、前記第２間隙を生じる領域に孔が形成され、
前記カバーが前記開口を塞いだ後、前記第２伝熱ゲルは前記孔を通して充填される
ことを特徴とする請求項３に記載の光ピックアップ装置。
【請求項５】
前記第１ホルダと前記第２ホルダは、ラジアル方向において隣接して配置される
ことを特徴とする請求項１に記載の光ピックアップ装置。
【請求項６】
前記第１ホルダと前記第２ホルダは、ラジアル方向において一部の面同士が対向する
ことを特徴とする請求項５に記載の光ピックアップ装置。
【発明の詳細な説明】
【技術分野】
【０００１】
本発明は、光ピックアップ装置に関する。
【背景技術】
【０００２】
一般に、光ディスクの信号記録層にレーザ光を集光して、光ディスクに記録された情報を読み取る光ピックアップ装置が知られている（特許文献１）。この光ピックアップ装置は、例えば異なる規格の２種類の光ディスクに記憶された情報を読み取るために、第１波長の第１レーザ光を発生する第１レーザダイオードと、第１波長とは異なる第２波長の第２レーザ光を発生する第２レーザダイオードとを備えている。第１レーザダイオード及び第２レーザダイオードは夫々、例えば金属製の第１ホルダ及び第２ホルダに収容されている。第１ホルダ及び第２ホルダは夫々、第１レーザダイオード及び第２レーザダイオードがレーザ光を発生した際に生じる熱を放熱する機能を備えている。そこで、第１ホルダ及び第２ホルダは、互いの放熱の影響を受けないように、ハウジングの内部において、互いに離れた位置に配置されている。
【先行技術文献】
【特許文献】
【０００３】
【特許文献１】特開２０１１−３４６４３号公報
【発明の概要】
【発明が解決しようとする課題】
【０００４】
特許文献１に開示される光ピックアップ装置では、第１ホルダ及び第２ホルダは夫々、第１レーザダイオード及び第２レーザダイオードの熱を放熱するのに十分な体積を持っていることが望ましい。第１レーザダイオード及び第２レーザダイオードの熱を放熱する能力を十分に確保するために、第１ホルダ及び第２ホルダの体積を大きくすると、光ピックアップ装置が大型化することになる。一方、光ピックアップ装置を小型化する場合、第１ホルダ及び第２ホルダの体積を小さくする必要があり、第１ホルダ及び第２ホルダの放熱能力が不足する虞がある。
【課題を解決するための手段】
【０００５】
前述した課題を解決する主たる本発明は、第１波長の第１レーザ光を発生する第１レーザダイオードと、前記第１レーザダイオードを内蔵する金属製の第１ホルダと、前記第１波長とは異なる第２波長の第２レーザ光を前記第１レーザ光とは相補的に発生する第２レーザダイオードと、前記第２レーザダイオードを内蔵する金属製の第２ホルダと、第１光ディスクの信号記録層に前記第１レーザ光を集光させるとともに、前記第１光ディスクの規格とは異なる規格の第２光ディスクの信号記録層に前記第２レーザ光を集光させる対物レンズと、前記第１レーザ光と前記第２レーザ光を前記対物レンズに案内する光学素子と、前記第１ホルダと前記第２ホルダが隣接するように、前記第１ホルダ、前記第２ホルダ、前記対物レンズ、前記光学素子が収容される樹脂製のハウジングと、前記第１ホルダと前記第２ホルダとの間の第１間隙に充填され、前記第１レーザダイオードから発生する熱を前記第１ホルダから前記第２ホルダへ伝えるとともに、前記第２レーザダイオードから発生する熱を前記第２ホルダから前記第１ホルダへ伝える第１伝熱ゲルと、を備えたことを特徴とする光ピックアップ装置である。
【０００６】
本発明の他の特徴については、添付図面及び本明細書の記載により明らかとなる。
【発明の効果】
【０００７】
本発明によれば、レーザダイオードで発生する熱を放熱できる。
【図面の簡単な説明】
【０００８】
【図１】本発明の第１実施形態に係る光ピックアップ装置の光学系の構成を示す図である。
【図２】本発明の第１実施形態に係る光ピックアップ装置の光学系の一部の構成を示す図である。
【図３】本発明の第１実施形態に係る光ピックアップ装置が用いられる光ディスク装置を示すブロック図である。
【図４】本発明の第１実施形態に係る光ピックアップ装置を示す分解斜視図である。
【図５】本発明の第１実施形態におけるハウジングの一部を拡大した図である。
【図６】本発明の第１実施形態に係る光ピックアップ装置を示す斜視図である。
【図７】本発明の第１実施形態に係る光ピックアップ装置の断面図である。
【図８】本発明のその他の実施形態に係る光ピックアップ装置の断面図である。
【発明を実施するための形態】
【０００９】
本明細書および添付図面の記載により、少なくとも以下の事項が明らかとなる。
【００１０】
[第１実施形態]
＝＝＝光ピックアップ装置の光学系＝＝＝
図１は、本実施形態に係る光ピックアップ装置の光学系の構成を示す図である。図２は、本実施形態に係る光ピックアップ装置の光学系の一部の構成を示す図である。
【００１１】
光ピックアップ装置１００は、回転する光ディスクにレーザ光を照射し、光ディスクで反射されるレーザ光の戻り光を検出する装置である。光ピックアップ装置１００は、例えば後述する光ディスク装置５００等の情報記録再生装置に実装される。なお、光ピックアップ装置１００によって情報の記録又は再生が行われる光ディスクは、例えばＢＤ（Ｂｌｕ―ｒａｙ  Ｄｉｓｃ）規格の光ディスク（以下、「第１光ディスク５Ａ」と称する）、ＤＶＤ（Ｄｉｇｉｔａｌ  Ｖｅｒｓａｔｉｌｅ  Ｄｉｓｃ）規格の光ディスク（以下、「第２光ディスク５Ｂ」と称する）、ＣＤ（Ｃｏｍｐａｃｔ  Ｄｉｓｃ）規格の光ディスク（以下、「第３光ディスク５Ｃ」と称する）等である。光ピックアップ装置１００は、第２光ディスク５Ｂ、第３光ディスク５Ｃに照射される第１レーザ光の光路に沿った第１光学系と、第１光ディスク５Ａに照射される第２レーザ光の光路に沿った第２光学系を有する。尚、第１光学系、第２光学系の詳細については後述する。
【００１２】
＝＝＝第１光学系＝＝＝
以下、図１、図２を参照して、本実施形態における光ピックアップ装置の第１光学系について説明する。
【００１３】
第１光学系は、ＤＶＤ規格及びＣＤ規格用の光学系であり、第１レーザ光源１１０、第１回折格子１２、第１の１／２波長板１３、ビームスプリッタ３２、コリメートレンズ３３、１／４波長板３４、反射ミラー３５、第１立ち上げミラー１５、第１対物レンズ１６（対物レンズ）、カップリングレンズ２４、ハーフミラー３６、検出レンズ３７、光検出器３８、フロントモニタダイオード３１から構成される。尚、第１回折格子１２、第１の１／２波長板１３、ビームスプリッタ３２、コリメートレンズ３３、１／４波長板３４、反射ミラー３５、第１立ち上げミラー１５が第１光学系を構成する光学素子（以下、「第１光学系の光学素子」と称する）に相当する。
【００１４】
第１レーザ光源１１０は、第２光ディスク５Ｂに照射する赤色波長帯（６４５ｎｍ〜６７５ｎｍ）のうち例えば６５５ｎｍの波長と、第３光ディスク５Ｃに照射する赤外波長帯（７６５ｎｍ〜８０５ｎｍ）のうち例えば７８５ｎｍの波長の、異なる２波長の第１レーザ光を選択的に発生する。第１レーザ光源１１０は、例えば６５５ｎｍの波長の第１レーザ光を発生する第１レーザダイオード１１Ａと、例えば７８５ｎｍの波長の第１レーザ光を発生する第１レーザダイオード１１Ｂとを、第１ホルダ１７に内蔵して形成される。尚、第１ホルダ１７の詳細については、後述する。
【００１５】
第１回折格子１２は、第１レーザ光源１１０で発生した第１レーザ光から、０次光、＋１次回折光、−１次回折光を生成する。
【００１６】
第１の１／２波長板１３は、直線偏光光である第１レーザ光を例えばＰ偏光の直線偏光光に変換する。
【００１７】
ビームスプリッタ３２は、例えば、赤色波長帯及び赤外波長帯のＰ偏光のレーザ光を透過し、赤色波長帯及び赤外波長帯のＰ偏光以外のレーザ光を反射する。ビームスプリッタ３２は、第１の１／２波長板１３から入射する赤色波長帯又は赤外波長帯のＰ偏光の第１レーザ光を透過する。このとき、ビームスプリッタ３２は、第１レーザ光の強度を調整するために、第１レーザ光の一部をフロントモニタダイオード３１の方向に反射するものとする。尚、フロントモニタダイオード３１は、ビームスプリッタ３２から第１レーザ光の一部を入射して、第１レーザ光の強度を調整するための光学素子である。又、コリメートレンズ３３から入射する第１レーザ光の戻り光は、例えば、第２光ディスク５Ｂ又は第３光ディスク５Ｃで反射してＳ偏光のレーザ光となっているので、ビームスプリッタ３２は、第１レーザ光の戻り光を、カップリングレンズ２４の方向に反射する。
【００１８】
コリメートレンズ３３は、ビームスプリッタ３２から入射する第１レーザ光を平行光に変換する。
【００１９】
１／４波長板３４は、コリメートレンズ３３から入射する第１レーザ光を、直線偏光光から円偏光光に変換する。又、１／４波長板３４は、反射ミラー３５から入射する第１レーザ光の戻り光を、円偏光光から直線偏光光に変換する。
【００２０】
反射ミラー３５は、１／４波長板３４から入射する第１レーザ光を、第１立ち上げミラー１５の方向に反射する。又、反射ミラー３５は、第１立ち上げミラー１５から入射する第１レーザ光の戻り光を１／４波長板３４の方向に反射する。
【００２１】
第１立ち上げミラー１５は、反射ミラー３５から入射する第１レーザ光を、第２光ディスク５Ｂ又は第３光ディスク５Ｃの記録面に垂直な方向に反射する。又、第１立ち上げミラー１５は、第１対物レンズ１６から入射する第１レーザ光の戻り光を、反射ミラー３５の方向に反射する。
【００２２】
第１対物レンズ１６は、第１立ち上げミラー１５から入射した第１レーザ光を、第２光ディスク５Ｂ又は第３光ディスク５Ｃの記録面における信号記録層に集光する。
【００２３】
第２光ディスク５Ｂ又は第３光ディスク５Ｃの信号記録層で反射した第１レーザ光の戻り光は、第１対物レンズ１６によって平行光に変換された後、第１立ち上げミラー１５、反射ミラー３５を介して１／４波長板３４に入射し、１／４波長板３４によって円偏光光から直線偏光光に変換される。直線偏光光となった第１レーザ光の戻り光は、コリメートレンズ３３、ビームスプリッタ３２を介してカップリングレンズ２４に入射する。
【００２４】
カップリングレンズ２４は、第１レーザ光の戻り光が光検出器３８で受光できるように、ビームスプリッタ３２から入射した第１レーザ光の戻り光の収束角を変換する。
【００２５】
ハーフミラー３６は、例えば、青色波長帯のＳ偏光のレーザ光を反射し、青色波長帯のＳ偏光以外のレーザ光を透過する。尚、青色波長帯の詳細については、後述する。カップリングレンズ２４から入射する第１レーザ光の戻り光は、赤色波長帯又は赤外波長帯のＳ偏光のレーザ光で、ハーフミラー３６は、カップリングレンズ２４から入射する第１レーザ光の戻り光を透過する。
【００２６】
検出レンズ３７は、ハーフミラー３６から入射される第１レーザ光の戻り光を、光検出器３８に集光させるとともに、第１レーザ光の戻り光に非点収差を発生させてフォーカスエラー信号を生成する。尚、検出レンズ３７の入射面側又は出射面側には、例えばシリンドリカル面、平面、凹曲面、又は凸曲面が形成されており、本実施例の場合、検出レンズ３７は平行平板を非点収差の発生方向を考慮した所定方向に傾けて構成されている。
【００２７】
光検出器３８は、検出レンズ３７から入射される第１レーザ光の戻り光を光電変換する。
【００２８】
＝＝＝第２光学系＝＝＝
以下、図１、図２を参照して、本実施形態における光ピックアップ装置の第２光学系について説明する。
【００２９】
第２光学系は、ＢＤ規格用の光学系であり、第２レーザ光源２１０、第２回折格子２２、第２の１／２波長板２３、ハーフミラー３６、カップリングレンズ２４、ビームスプリッタ３２、コリメートレンズ３３、１／４波長板３４、反射ミラー３５、第２立ち上げミラー２５、第２対物レンズ２６（対物レンズ）、検出レンズ３７、光検出器３８、フロントモニタダイオード３１から構成される。尚、例えば、ハーフミラー３６、カップリングレンズ２４、ビームスプリッタ３２、コリメートレンズ３３、１／４波長板３４、反射ミラー３５、検出レンズ３７、光検出器３８、フロントモニタダイオード３１は、第１光学系と第２光学系で共通に用いられることになる。尚、第２回折格子２２、第２の１／２波長板２３、ハーフミラー３６、カップリングレンズ２４、ビームスプリッタ３２、コリメートレンズ３３、１／４波長板３４、反射ミラー３５、第２立ち上げミラー２５が第２光学系を構成する光学素子（以下、「第２光学系の光学素子」と称する）に相当する。
【００３０】
第２レーザ光源２１０は、第１レーザ光源１１０が発生する第１レーザ光の波長とは異なる、第１光ディスク５Ａに照射する青色波長帯（４００ｎｍ〜４２０ｎｍ）のうち例えば４０５ｎｍの波長の第２レーザ光を、第１レーザ光とは相補的に発生する。第２レーザ光源２１０は、例えば４０５ｎｍの波長の第２レーザ光を発生する第２レーザダイオード２１を、第２ホルダ２７に内蔵して形成される。尚、第２ホルダ２７の詳細については、後述する。
【００３１】
第２回折格子２２は、第２レーザ光源２１０で発生した第２レーザ光から、０次光、＋１次回折光、−１次回折光を生成する。
【００３２】
第２の１／２波長板２３は、直線偏光光である第２レーザ光を例えばＳ偏光の直線偏光光に変換する。
【００３３】
ハーフミラー３６は、第２の１／２波長板２３から入射する青色波長帯のＳ偏光の第２レーザ光を、カップリングレンズ２４の方向に反射する。又、カップリングレンズ２４から入射する第２レーザ光の戻り光は、例えば、第１光ディスク５Ａで反射してＰ偏光のレーザ光となっているので、ハーフミラー３６は、第２レーザ光の戻り光を透過する。
【００３４】
カップリングレンズ２４は、第２レーザ光が第１光ディスク５の信号記録層に集光されるように、ハーフミラー３６から入射した第２レーザ光の発散角を変換する。又、カップリングレンズ２４は、第２レーザ光の戻り光が光検出器３８で受光できるように、ビームスプリッタ３２から入射した第２レーザ光の戻り光の収束角を変換する。
【００３５】
カップリングレンズ２４から入射する第２レーザ光は、例えば、赤色波長帯及び赤外波長帯のＰ偏光以外の青色波長帯のＳ偏光のレーザ光なので、ビームスプリッタ３２は、カップリングレンズ２４から入射する第２レーザ光を、コリメートレンズ３３の方向に反射する。このとき、ビームスプリッタ３２は、第２レーザ光の強度を調整するために、第２レーザ光の一部を透過する。尚、フロントモニタダイオード３１は、ビームスプリッタ３２から第２レーザ光の一部を入射して、第２レーザ光の強度を調整するための光学素子である。又、コリメートレンズ３３から入射する第２レーザ光の戻り光は、例えば、赤色波長帯及び赤外波長帯のＰ偏光以外の青色波長帯のＰ偏光のレーザ光なので、ビームスプリッタ３２は、コリメートレンズ３３から入射する第２レーザ光の戻り光を、カップリングレンズ２４の方向に反射する。
【００３６】
ビームスプリッタ３２でコリメートレンズ３３の方向に反射した第２レーザ光は、コリメートレンズ３３によって平行光に変換された後、１／４波長板３４によって直線偏光光から円偏光光に変換される。円偏光光となった第２レーザ光は、反射ミラー３５によって第２立ち上げミラー２５の方向に反射される。尚、第２レーザ光の光路における、反射ミラー３５と第２立ち上げミラー２５との間に配置された第１立ち上げミラー１５は、赤色波長帯及び赤外波長帯のレーザ光を反射し、青色波長帯のレーザ光を透過するものとする。
【００３７】
第２立ち上げミラー２５は、反射ミラー３５から入射する第２レーザ光を、第１光ディスク５Ａの記録面に垂直な方向に反射する。又、第２立ち上げミラー２５は、第２対物レンズ２６から入射する第２レーザ光の戻り光を、反射ミラー３５の方向に反射する。
【００３８】
第２対物レンズ２６は、第２立ち上げミラー２５から入射した第２レーザ光を、第１光ディスク５Ａの記録面における信号記録層に集光する。
【００３９】
第１光ディスク５Ａの信号記録層で反射した第２レーザ光の戻り光は、第２対物レンズ２６によって平行光によって変換された後、第２立ち上げミラー２５、反射ミラー３５、を介して１／４波長板３４に入射し、１／４波長板３４によって円偏光光から直線偏光光に変換される。直線偏光光となった第２レーザ光の戻り光は、コリメートレンズ３３、ビームスプリッタ３２、カップリングレンズ２４、ハーフミラー３６を介して検出レンズ３７に入射する。
【００４０】
検出レンズ３７は、ハーフミラー３６から入射される第２レーザ光の戻り光を、光検出器３８に集光させるとともに、第２レーザ光の戻り光に非点収差を発生させてフォーカスエラー信号を生成する。
【００４１】
光検出器３８は、検出レンズ３７から入射される第２レーザ光の戻り光を光電変換する。
【００４２】
＝＝＝光ディスク装置＝＝＝
以下、図３を参照して、本実施形態における光ピックアップ装置が用いられる光ディスク装置について説明する。図３は、本実施形態における光ピックアップ装置が用いられる光ディスク装置を示すブロック図である。
【００４３】
光ディスク装置５００は、スピンドルモータ５０２、モータ駆動回路５０３、光ピックアップ装置１００、スレッド機構５０４、増幅回路５０５、復調回路５０６、フォーカス制御回路５０７、トラッキング制御回路５０８、チルト制御回路５０９、レーザドライバ５１０、変調回路５１１、システム制御装置５１２を有する。
【００４４】
スピンドルモータ５０２は、回転軸５０１を軸に光ディスク５を回転させる。尚、第１光ディスク５Ａ、第２光ディスク５Ｂ、第３光ディスク５Ｃのうち、スピンドルモータ５０２によって回転される光ディスクを、説明の便宜上、光ディスク５と称する。
【００４５】
モータ駆動回路５０３は、システム制御装置５１２から送信させる制御信号に応じてスピンドルモータ５０２の回転を制御する。
【００４６】
スレッド機構５０４は、例えばパルス駆動するステッピングモータを有し、システム制御装置５１２から送信される制御信号に応じて光ピックアップ装置１００を光ディスク５の径方向（ラジアル方向）に移動させる。
【００４７】
レーザドライバ５１０は、変調回路５１１から入力される信号に応じて第１レーザダイオード１１Ａ、１１Ｂ、第２レーザダイオード２１で夫々発生する第１レーザ光、第２レーザ光の出力を制御する。
【００４８】
変調回路５１１は、システム制御装置５１２から入力される、光ディスク５に記録するデータを記録用のパルス信号に変調する。光ディスク５に記録するデータは、例えばシステム制御装置５１２を介してパーソナルコンピュータ等の外部装置（不図示）から随時供給されるものとする。
【００４９】
増幅回路５０５は、光ピックアップ装置１００の光検出器３８から出力される電気信号に含まれるＲＦ（Ｒａｄｉｏ  Ｆｒｅｑｕｅｎｃｙ）信号を増幅し、復調回路５０６に出力する。
【００５０】
復調回路５０６は、増幅回路５０５から入力されるＲＦ信号を復調してシステム制御装置５１２に出力する。システム制御装置５１２は、復調回路５０６から入力される復調信号に基づくデータ信号を外部装置に出力する。
【００５１】
フォーカス制御回路５０７、トラッキング制御回路５０８、チルト制御回路５０９は、光ピックアップ装置１００の第１対物レンズ１６、第２対物レンズ２６の駆動制御を行う。
【００５２】
＝＝＝光ピックアップ装置＝＝＝
以下、図１、図２、図４乃至図７を参照して、本実施形態における光ピックアップ装置について説明する。図４は、本実施形態における光ピックアップ装置を示す分解斜視図である。尚、スピンドルモータ５０２の回転軸５０１の中心軸が、説明の便宜上、一点鎖線で示される。第１の１／２波長板１３、第２回折格子２２、第２の１／２波長板２３は見えない状態となっている。図５は、本実施形態におけるハウジングの一部を拡大した図である。尚、第１の１／２波長板１３、第２回折格子２２、第２の１／２波長板２３は見えない状態となっている。図６は、本実施形態における、光ピックアップ装置を示す斜視図である。尚、スピンドルモータ５０２の回転軸５０１の中心軸が、説明の便宜上、一点鎖線で示される。第１ホルダ１７、第２ホルダ２７、第１伝熱ゲル９０、第２伝熱ゲル９１は、見えない状態となっているが、説明の便宜上、点線で示される。図７は、図６のＡ−Ａ´の断面から他方方向へ向かって見た、光ピックアップ装置の断面図である。
【００５３】
光ピックアップ装置１００は、ハウジング５０、カバー６０、アクチュエータ７０、レンズホルダ８０、第１光学系の光学素子、第２光学系の光学素子、第１伝熱ゲル９０、第２伝熱ゲル９１を有する。尚、本実施形態において、Ｚ軸は、光ディスク５を回転させるスピンドルモータ５０２の回転軸５０１の長手方向（垂直方向）に沿う軸であり、上側に向かう方向を＋Ｚ方向として、下側に向かう方向を−Ｚ方向とする。Ｙ軸は、光ディスク５の径方向（ラジアル方向）に光ピックアップ装置１００が移動する方向に沿う軸であり、回転軸５０１から離れる方向（奥側）を＋Ｙ方向とし、回転軸５０１に近づく方向（手前側）を−Ｙ方向とする。Ｘ軸は、ハウジング５０の両側面に対して直交するタンジェンシャル方向に沿う軸であり、一方側の側面に向かう方向を−Ｘ方向とし、他方側の側面に向かう方向を＋Ｘ方向とする。
【００５４】
ハウジング５０は、前述した第１光学系の光学素子、第２光学系の光学素子、第１ホルダ１７、第２ホルダ２７、アクチュエータ７０を収容するための樹脂製の容器である。尚、第１ホルダ１７、第２ホルダ２７の詳細については後述する。ハウジング５０は、ハウジング５０の内部に第１光学系の光学素子、第２光学系の光学素子、第１ホルダ１７、第２ホルダ２７、第１対物レンズ１６、第２対物レンズ２６を例えば上側から配置して収容するための開口２０１が形成される。ハウジング５０の手前側は、例えば、スピンドルモータを回避するように所定の曲率をもって抉られた形状を呈する。ハウジング５０の両側面には、ガイド部材５３、５４Ａ、５４Ｂが設けられる。ガイド部材５３、５４Ａ、５４Ｂは、光ディスク５のラジアル方向に沿って光ピックアップ装置１００を移動させるための、一対のガイド軸に対して、光ピックアップ装置１００を取り付けるための部材である。ガイド部材５３は、例えば、ハウジング５０の一方側の側面に設けられる。ガイド部材５４Ａ、５４Ｂは、例えば、ハウジング５０の他方側の側面に設けられる。開口２０１には、第１光学系の光学素子、第２光学系の光学素子、第１ホルダ１７、第２ホルダ２７、第１対物レンズ１６、第２対物レンズ２６が、図１及び図２を参照して説明したような位置関係となるように配置される。尚、第１レーザダイオード１１Ａ、１１Ｂ、第２レーザダイオード２１をハウジング５０に配置する構成の詳細については後述する。
【００５５】
レンズホルダ８０は、第１対物レンズ１６、第２対物レンズ２６を夫々、第１立ち上げミラー１５、第２立ち上げミラー２５夫々の上側に配置するように、第１対物レンズ１６、第２対物レンズ２６が設けられる。レンズホルダ８０は、レンズホルダ８０の両側に配置される複数のサスペンションワイヤ７１によってフォーカス方向（Ｚ軸方向）、トラッキング方向（Ｙ軸方向）及びチルト方向に変位可能にアクチュエータフレームに取り付けられる。アクチュエータ７０は、光ディスク５に照射されるレーザ光を光ディスク５の信号記録層に合焦させ、光ディスク５の信号トラックに追従させ、光ディスク５の信号記録層に対して垂直になるように、第１対物レンズ１６、第２対物レンズ２６をフォーカス方向（ｚ軸方向）、トラッキング方向（ｙ軸方向）及びチルト方向に駆動する装置である。アクチュエータ７０、レンズホルダ８０は、ハウジング５０の開口２０１における、例えば、回転軸５０１の中心軸から奥側に向かって見て左側の領域に配置される。尚、レンズホルダ８０は、レンズホルダ８０を開口２０１に配置した際、第１対物レンズ１６、第２対物レンズ２６夫々が、第１立ち上げミラー１５、第２立ち上げミラー２５夫々の上側に配置されるように、下側に開口した形状を呈するものとする。
【００５６】
ここで、第１レーザダイオード１１Ａ、１１Ｂは、同一パッケージに複数のレーザダイオードが収納されるマルチレーザユニットの第１レーザ光源１１０により構成され、この第１レーザ光源１１０はパッケージが合成樹脂である、いわゆるフレームタイプのレーザ光源である。そして、前記第１レーザ光源１１０は第１ホルダ１７に内蔵された状態でハウジング５０に収容される。一方、第２レーザダイオード２１は、第２レーザ光源２１０により構成され、金属性の円筒形パッケージに収納される、いわゆるＣＡＮタイプのレーザ光源である。前記第２レーザ光源２１０は第２ホルダ２７に内蔵された状態でハウジング５０に収容される。尚、第１レーザダイオード１１Ａ、１１Ｂのうち、選択されて第１レーザ光を発生するレーザダイオードを、説明の便宜上、第１レーザダイオード１１と称する。第１ホルダ１７は、第１レーザダイオード１１が第１レーザ光を発生した際に第１レーザダイオード１１で発生する熱を放熱する機能を有する、亜鉛、アルミニウム、あるいはそれらの合金により構成される金属製の固定部材である。第２ホルダ２７は、第１ホルダ１７と同様に、第２レーザダイオード２１が第２レーザ光を発生した際に第２レーザダイオード２１で発生する熱を放熱する機能を有する、亜鉛、アルミニウム、あるいはそれらの合金により構成される金属製の固定部材である。尚、第１ホルダ１７、第２ホルダ２７の放熱能力は、主に、第１ホルダ１７の体積、第２ホルダ２７の体積に基づいて定まることになる。第１ホルダ１７の体積、第２ホルダ２７の体積の詳細については後述する。
【００５７】
第１ホルダ１７、第２ホルダ２７は、ハウジング５０の開口２０１における、例えば、回転軸５０１の中心軸から奥側に向かって見て右側の領域に配置される。第１ホルダ１７、第２ホルダ２７は、相互に隣接するように、開口２０１に配置される。第１ホルダ１７は、例えば、第１ホルダ１７の回転軸５０１側の側面がハウジング５０における所定の曲率をもって抉られた部分に沿うように、開口２０１に配置される。第２ホルダ２７は、例えば、第２ホルダ２７における回転軸５０１側の側面の一部が第１ホルダ１７における回転軸５０１側の側面とは反対側の側面の一部と対向した状態で、ハウジング５０の開口２０１に配置される。第１ホルダ１７と第２ホルダ２７は、第１ホルダ１７と第２ホルダ２７との間に隙間ができるように、ラジアル方向において隣接する。その際、第１及び第２光学系の光路は、十分に確保された状態となる。尚、第１ホルダ１７と第２ホルダ２７との間の隙間が、第１間隙に相当する。
【００５８】
第１伝熱ゲル９０は、例えば、主成分であるシリコンに対して、アルミ、鉄等の金属粒子を混入したゲルである。第１伝熱ゲル９０は、第１レーザダイオード１１で発生する熱を第１ホルダ１７から第２ホルダ２７へ伝えるとともに、第２レーザダイオード２１で発生する熱を第２ホルダ２７から第１ホルダ１７へ伝えるために、第１間隙に充填される。第１伝熱ゲル９０は、第１間隙に充填した際、充填した領域以外の領域に広がらないような粘性を有するものとする。尚、熱の伝わりの詳細については、後述する。
【００５９】
カバー６０は、ハウジング５０の開口２０１をハウジング５０の上側から塞ぐための、例えばステンレスなどの金属製の平板である。カバー６０は、開口２０１における、例えばアクチュエータ７０、レンズホルダ８０が配置される領域以外を塞ぐように、ハウジング５０の上面における、アクチュエータ７０、レンズホルダ８０が配置される領域以外に沿った形状を呈する。カバー６０は、開口２０１をハウジング５０の上側から塞いだ状態で、ハウジング５０の縁に、例えば、接着剤（不図示）、ビス（不図示）等によって取り付けられる。ここで、第１ホルダ１７及び第２ホルダ２７は、例えば、ハウジング５０の底面を基準として、第１ホルダ１７の高さＨ１及び第２ホルダ２７の高さＨ２が、ハウジング５０の縁の高さＨ３よりも低くなるように、開口２０１に配置されているものとする。よって、カバー６０によってハウジング５０の開口２０１を塞いだ場合、カバー６０と第１ホルダ１７との間、カバー６０と第２ホルダ２７との間には、隙間９５ができることになる。この隙間９５が、第２間隙に相当する。カバー６０における例えば第２ホルダ２７と対向する位置に孔６１が設けられる。尚、孔６１の詳細については、後述する。
【００６０】
第２伝熱ゲル９１は、例えば、第１伝熱ゲル９０と同様に、主成分であるシリコンに対して、アルミ、鉄等の金属粒子を混入したゲルである。第２伝熱ゲル９１は、第１レーザダイオード１１又は第２レーザダイオード２１のうち一方で発生した熱を、第１ホルダ１７及び第２ホルダ２７の少なくとも一方からカバー６０に伝えるために、隙間９５に充填される。第２伝熱ゲル９１は、カバー６０が取り付けられたハウジング５０の隙間９５に対して、カバー６０に設けられた孔６１から充填されるものとする。第２伝熱ゲル９１は、隙間９５に充填した際、充填した領域以外の領域に広がらないような粘性を有するものとする。尚、熱の伝わりの詳細については、後述する。
【００６１】
＝＝＝第１ホルダ及び第２ホルダの体積、放熱＝＝＝
以下、図１、図２、図４乃至図７を参照して、第１ホルダ１７の体積、第２ホルダ２７の体積、第１レーザダイオード１１及び第２レーザダイオード２１の放熱について説明する。
【００６２】
第１レーザダイオード１１は、前述した通り、第１レーザ光を発生する際、発熱する。これは、例えば、第１レーザダイオード１１で第１レーザ光を発生するときに、第１レーザダイオード１１に供給される電流によって熱が発生するものである。尚、第２レーザダイオード２１でも、第１レーザダイオード１１と同様に、第２レーザ光を発生する際、熱が発生する。光ピックアップ装置１００では、第１レーザダイオード１１又は第２レーザダイオード２１で発生する熱によって、第１レーザダイオード１１又は第２レーザダイオード２１が劣化するのを防止するために、放熱を行う必要がある。前述した通り、第１レーザダイオード１１及び第２レーザダイオード２１は夫々、相補的に、第１レーザ光及び第２レーザ光を発生して発熱する。第１ホルダ１７と第２ホルダ２７の総体積は、第１レーザダイオード１１で発生する熱を、第１レーザダイオード１１の劣化が抑えられる程度放熱できるとともに、第２レーザダイオード２１で発生する熱を、第２レーザダイオード２１の劣化が抑えられる程度放熱できる体積（以下、「レーザダイオードの劣化を抑えられる体積」と称する）とされる。尚、上記の総体積は、例えば実験等によって定められるものとする。
【００６３】
よって、例えば、第１レーザダイオード１１が第１レーザ光を発生した際、第１レーザダイオード１１で発生する熱は、第１レーザダイオード１１から第１ホルダ１７に伝わり放熱される。第１ホルダ１７の放熱により発生する熱は、第１伝熱ゲル９０を介して、第１ホルダ１７から第２ホルダ２７へ伝わり放熱される。第２ホルダ２７の放熱により発生する熱は、第２伝熱ゲル９１を介して、カバー６０に伝わり放熱される。一方、例えば、第２レーザダイオード２１が第２レーザ光を発生した際、第２レーザダイオード２１で発生する熱は、第２レーザダイオード２１から第２ホルダ２７へ伝わり放熱される。第２ホルダ２７の放熱により発生する熱は、第１伝熱ゲル９０を介して、第２ホルダ２７から第１ホルダ１７に伝わって放熱されると共に、第２伝熱ゲル９１を介して、第２ホルダ２７からカバー６０に伝わり放熱される。
【００６４】
前述したように、第１レーザダイオード１１は、例えば６５５ｎｍの波長の第１レーザ光を発生する。第１レーザダイオード１１は、金属製の第１ホルダ１７に内蔵される。第２レーザダイオード２１は、例えば第１レーザ光の波長とは異なる４０５ｎｍの波長の第２レーザ光を、第１レーザ光とは相補的に発生する。第２レーザダイオード２１は、金属製の第２ホルダ２７に内蔵される。第１対物レンズ１６は、第２光ディスク５Ａ又は第３光ディスク５Ｃの信号記録層に第１レーザ光を集光させる。第２対物レンズ２６は、第１光ディスク５Ａの信号記録層に第２レーザ光を集光させる。第１光学系の光学素子及び第２光学系の光学素子は夫々、第１レーザ光及び第２レーザ光を夫々、第１対物レンズ１６及び第２対物レンズ２６に案内する。第１ホルダ１７、第２ホルダ２７、第１対物レンズ１６、第２対物レンズ２６、第１光学系の光学素子及び第２光学系の光学素子は樹脂製のハウジング５０に収容される。第１ホルダ１７と第２ホルダ２７は、ハウジング５０内で隣接する。第１ホルダ１７と第２ホルダ２７との間の第１間隙には、第１伝熱ゲル９０が充填される。第１レーザダイオード１１から発生する熱は、第１ホルダ１７から第２ホルダ２７へ伝わり、第２レーザダイオード２１から発生する熱は、第２ホルダ２７から第１ホルダ１７へ伝わる。よって、第１レーザダイオード１１で発生する熱、第２レーザダイオード２１で発生する熱を、第１ホルダ１７及び第２ホルダ２７に放熱できる。又、ハウジング５０が樹脂製であり成型が容易なので、コンパクトな光ピックアップ装置１００を提供できる。又、ハウジング５０が樹脂製なので、光ピックアップ装置１００の軽量化を図ることができる。
【００６５】
又、第１ホルダ１７と第２ホルダ２７の総体積は、第１レーザダイオード１１と第２レーザダイオード２１の夫々の発熱量に応じて定まる。よって、例えば、第１ホルダ１７と第２ホルダ２７の総体積が、レーザダイオードの劣化を抑えられる体積に定められた場合、第１レーザダイオード１１で発生する熱、第２レーザダイオード２１で発生する熱を確実に放熱して、第１レーザダイオード１１、第２レーザダイオード２１の劣化を防止できる。又、第１レーザダイオード１１で発生する熱を放熱するときも、第２レーザダイオード２１で発生する熱を放熱するときも、第１ホルダ１７及び第２ホルダ２７に放熱できるので、第１ホルダ１７及び第２ホルダ２７の体積を小さくして、コンパクトな光ピックアップ装置１００を提供できる。
【００６６】
又、第１ホルダ１７、第２ホルダ２７、第１対物レンズ１６、第２対物レンズ２６、第１光学系の光学素子及び第２光学系の光学素子が露出するハウジング５０の開口２０１の少なくとも一部は、金属製のカバー６０によって塞がれる。その際、例えば、カバー６０と第１ホルダ１７との間、カバー６０と第２ホルダ２７との間には、隙間９５ができる。例えば、カバー６０と第２ホルダ２７との間の隙間９５に、第２伝熱ゲル９１が充填される。よって、例えば第２ホルダ２７の熱がカバー６０に放熱される。よって、第１レーザダイオード１１で発生する熱、第２レーザダイオード２１で発生する熱の放熱能力が高い光ピックアップ装置１００を提供できる。
【００６７】
又、カバー６０における例えば第２ホルダ２７と対向する位置に孔６１が設けられる。よって、例えば、ハウジング５０の開口２０１をカバー６０によって塞いだ後、カバー６０と第２ホルダ２７との間の隙間９５に対して、カバー６０の孔６１から第２伝熱ゲル９１を充填できる。よって、カバー６０における、隙間９５に第２伝熱ゲル９１を確実に充填できる位置に、孔６１を設けることによって、第２伝熱ゲル９１を孔６１から隙間９５に確実に充填できる。従って、第１レーザダイオード１１で発生する熱、第２レーザダイオード２１で発生する熱を確実に放熱することができる。
【００６８】
又、第１ホルダ１７と第２ホルダ２７は、ラジアル方向に沿ってハウジング５０に配置される。よって、例えば、ラジアル方向における、光ピックアップ装置１００が一対のガイド軸に案内されて移動する方向に沿って、第１ホルダ１７と第２ホルダ２７を配置した場合、例えばハウジング５０の両側面に対して直交する方向の幅を短くできるので、コンパクトな光ピックアップ装置１００を提供できる。
【００６９】
又、第１ホルダ１７と第２ホルダ２７は、ラジアル方向において一部の面同士が対向するように、ハウジング５０に配置される。第１ホルダ１７と第２ホルダ２７の一部の面同士が対向していれば、第１伝熱ゲル９０を介して、第１ホルダ１７と第２ホルダ２７との間で相互に熱を伝えることができる。よって、第１ホルダ１７における第２ホルダ２７と対向する面の全面と、第２ホルダ２７における第１ホルダ１７と対向する面の全面とを対向させる必要がないので、ハウジング５０に対する光学素子の配置等の光ピックアップ装置１００の設計の自由度を向上して、コンパクトな光ピックアップ装置１００を提供できる。
【００７０】
[その他の実施形態]
第１実施形態においては、第１ホルダ１７の高さＨ１及び第２ホルダ２７の高さＨ２が、ハウジング５０の底面を基準として、ハウジング５０の縁の高さＨ３よりも低くなるように、第１ホルダ１７及び第２ホルダ２７をハウジング５０に配置し、カバー６０を平板形状とした場合について説明したが、これに限定されるものではない。例えば、第１ホルダ１７の高さＨ１及び第２ホルダ２７の高さＨ２が、ハウジング５０Ａの底面を基準として、ハウジング５０Ａの縁の高さＨ３１と同様又は高くなるように、第１ホルダ１７及び第２ホルダ２７をハウジング５０Ａに配置し、カバー６０Ａを、第１ホルダ１７、第２ホルダ２７を上側から覆う形状としてもよい。以下、図８を参照して、第１ホルダ１７の高さＨ１及び第２ホルダ２７の高さＨ２が、ハウジング５０Ａの底面を基準として、ハウジング５０Ａの縁の高さＨ３１と同様又は高くなるように、第１ホルダ１７及び第２ホルダ２７をハウジング５０Ａに配置し、カバー６０Ａを、第１ホルダ１７、第２ホルダ２７を上側から覆う形状とした場合について説明する。図８は、本実施形態における光ピックアップ装置の断面図である。尚、図７に示される構成と同様な構成については、同様な符号を付し、その説明は省略する。第１ホルダ１７及び第２ホルダ２７は、第１ホルダ１７の高さＨ１及び第２ホルダ２７の高さＨ２が、ハウジング５０Ａの底面を基準として、ハウジング５０Ａの縁の高さＨ３１と同様又は高くなるように、ハウジング５０Ａに配置される。カバー６０Ａは、第１ホルダ１７、第２ホルダ２７を上側から覆う形状を呈する金属製のカバーである。尚、カバー６０Ａにおける第１ホルダ１７、第２ホルダ２７を覆う部分の高さＨ６１は、ハウジング５０Ａの底面を基準として、第１ホルダ１７の高さＨ１及び第２ホルダ２７の高さＨ２よりも高いものとする。又、カバー６０Ａにおける第１ホルダ１７、第２ホルダ２７を覆う部分以外の部分の高さＨ６２は、ハウジング５０Ａの底面を基準として、第１ホルダ１７の高さＨ１及び第２ホルダ２７の高さＨ２と同一又は低いものとする。又、光検出器３８Ａの高さＨ３８は、第２ホルダ２７を覆う部分以外の部分の高さＨ６２よりも、ハウジング５０Ａの底面を基準として低いものとする。
【００７１】
カバー６０Ａによってハウジング５０Ａの開口を塞いだ場合、カバー６０Ａと第１ホルダ１７との間、カバー６０Ａと第２ホルダ２７との間には、隙間９５Ａができることになる。カバー６０Ａにおける例えば第２ホルダ２７と対向する位置に設けられた孔６１ａから隙間９５Ａに、第２伝熱ゲル９１Ａが充填される。よって、第１レーザダイオード１１又は第２レーザダイオード２１で発生する熱は、第１ホルダ及び第２ホルダから第２伝熱ゲル９１Ａを介してカバー６０Ａに放熱される。ハウジング５０Ａの縁の高さＨ３１は、ハウジング５０Ａの底面を基準として、第１ホルダ１７の高さＨ１及び第２ホルダ２７の高さＨ２と一又は低く、且つ、カバー６０Ａにおける第１ホルダ１７、第２ホルダ２７を覆う部分以外の部分の高さＨ６２は、ハウジング５０Ａの底面を基準として、第１ホルダ１７の高さＨ１及び第２ホルダ２７の高さＨ２と同様又は低いので、コンパクトな光ピックアップ装置を提供できる。
【００７２】
尚、第１実施形態、その他の実施形態は、本発明の理解を容易にするためのものであり、本発明を限定して解釈するためのものではない。本発明は、その趣旨を逸脱することなく、変更、改良され得るとともに、本発明にはその等価物も含まれる。
【００７３】
第１実施形態においては、第２伝熱ゲル９１を孔６１から隙間９５Ａに充填する構成について説明したが、これに限定されるものではない。例えば、カバー６０に孔６１を設けずに、第２伝熱ゲル９１が隙間９５Ａに充填されるように、第２伝熱ゲル９１を第１ホルダ１７及び第２ホルダ２７の上面に盛った後、ハウジング５０にカバー６０を取り付けてもよい。その場合、第１ホルダ１７及び第２ホルダ２７とカバー６０との間の隙間９５に対して、十分な量の第２伝熱ゲル９１を充填できるので、第１レーザダイオード１１で発生する熱、第２レーザダイオード２１で発生する熱の放熱能力の高い光ピックアップ装置１００を提供できる。又、光ピックアップ装置１００を製造する際、カバー６０に対して孔６１を設ける必要が無いので、製造工程を減らして、光ピックアップ装置１００の製造コストを低減できる。
【符号の説明】
【００７４】
５    光ディスク
５Ａ  第１光ディスク
５Ｂ  第２光ディスク
５Ｃ  第３光ディスク
１１、１１Ａ、１１Ｂ  第１レーザダイオード
１２  第１回折格子
１３  第１の１／２波長板
１５  第１立ち上げミラー
１６  第１対物レンズ
１７  第１ホルダ
２１  第２レーザダイオード
２２  第２回折格子
２３  第２の１／２波長板
２４  カップリングレンズ
２５  第２立ち上げミラー
２６  第２対物レンズ
２７  第２ホルダ
３１  フロントモニタダイオード
３２  ビームスプリッタ
３３  コリメートレンズ
３４  １／４波長板
３５  反射ミラー
３６  ハーフミラー
３７  検出レンズ
３８、３８Ａ  光検出器
５０、５０Ａ  ハウジング
６０、６０Ａ  カバー
６１、６１Ａ  孔
８０  レンズホルダ
９０  第１伝熱ゲル
９１、９１Ａ  第２伝熱ゲル
９５、９５Ａ  隙間
１００  光ピックアップ装置
１１０  第１レーザ光源
２０１  開口
２１０  第２レーザ光源
５００  光ディスク装置
５０１  回転軸
【図１】
2013058293.tif 000003
【図２】
2013058293.tif 000004
【図３】
2013058293.tif 000005
【図４】
2013058293.tif 000006
【図５】
2013058293.tif 000007
【図６】
2013058293.tif 000008
【図７】
2013058293.tif 000009
【図８】
2013058293.tif 000010